(57)【要約】      （修正有）【課題】コネクタ同士が３６０度の嵌合及び充電の機能を達成することができる。コネクタは充電機能及びスイッチ機能を統合し、これによって小型電子デバイス内の空間及びコストを節約でき、電子デバイスの小型化を容易にできるコネクタを提供する。【解決手段】第１のコネクタ１、第２のコネクタ２、並びに第１のコネクタ１及び第２のコネクタ２を有する電気コネクタアセンブリ１００。第１のコネクタ１は、絶縁ベース１１と、絶縁ベース１１に固定された２つの第１の導電性部材１２と、絶縁ベース１１を被覆する第１の磁気吸引リング１３と、絶縁ベース１１内に固定されたスイッチアセンブリ１４と、を備える。第２のコネクタ２は、絶縁体２１と、絶縁体２１に固定された２つの第２の導電性部材２２と、絶縁体２１の外周を被覆する第２の磁気吸引リング２３と、第２の磁気吸引リング２３の外周を更に被覆するカバー２４と、を備える。【選択図】図４
2020087917.tif 000002
【特許請求の範囲】
【請求項１】
第１のコネクタであって、
ベース部と、該ベース部から上方に突出する嵌合部と、を備える絶縁ベースであって、前記嵌合部は、受容溝と、該受容溝に沿って上下動できるスイッチボタンと、を有する、絶縁ベースと、
該絶縁ベースに設けられ、前記スイッチボタンの上下動によってスイッチ機能を達成するスイッチアセンブリと、
前記嵌合部の外周を被覆する第１の磁気吸引リングであって、前記嵌合部が第１の磁気吸引リングを越えて上方に延在する、第１の磁気吸引リングと、
前記絶縁ベース上に固定された複数の第１の導電性部材であって、それぞれの第１の導電性部材は、嵌合端部と、テールと、を有し、少なくとも１つの第１の導電性部材の前記嵌合端部は、前記嵌合部の外周面上に露出し、前記テールは、前記ベース部から下方に延在する、第１の導電性部材と、を備える第１のコネクタ。
【請求項２】
前記複数の第１の導電性部材が、第１の中央導電性部材と、第１の側部導電性部材と、を含み、前記第１の中央導電性部材の前記嵌合端部は、前記スイッチボタンの上面に露出し、前記第１の側部導電性部材の前記嵌合端部は、前記嵌合部を包囲し、該嵌合部の前記外周面上に露出される、請求項１に記載の第１のコネクタ。
【請求項３】
前記第１の中央導電性部材が、前記嵌合端部から延在する接続端部と、該接続端部に移動可能に接触するブリッジ部材と、を更に備え、該ブリッジ部材のテールは、前記ベース部から下方に延在する、請求項２に記載の第１のコネクタ。
【請求項４】
前記接続端部が、弾性的に変形可能な突出部を有し、該突出部及び前記ブリッジ部材は、互いに移動可能に接触する、請求項３に記載の第１のコネクタ。
【請求項５】
前記複数の第１の導電性部材は、３つの第３の側部導電性部材を含み、該３つの第３の側部導電性部材の前記嵌合端部は、円弧形状であり、前記嵌合部の前記外周に等間隔で配置されている、請求項１に記載の第１のコネクタ。
【請求項６】
前記第３の側部導電性部材の前記テールが、前記嵌合端部から下方に延在するはんだ付け脚部である、請求項５に記載の第１のコネクタ。
【請求項７】
第２のコネクタであって、
ベースと、該ベースから上方に突出する突出部と、を備える絶縁体であって、前記突出部の上面に、収容溝が凹設されている、絶縁体と、
前記突出部の外周を被覆する第２の磁気吸引リングと、
前記絶縁体に固定された複数の第２の導電性部材であって、それぞれの第２の導電性部材は、接触端部と、先端部と、を備え、前記接触端部は前記収容溝内に露出し、前記先端部は前記ベースから下方に突出する、第２の導電性部材と、
前記絶縁体及び前記第２の磁気吸引リングの外周を被覆するカバーと、を備える、第２のコネクタ。
【請求項８】
前記複数の第２の導電性部材が、第２の中央導電性部材と、第２の側部導電性部材と、を含み、前記第２の中央導電性部材の前記接触端部は、前記収容溝の底部から上方に突出し、前記第２の側部導電性部材の前記接触端部は、前記収容溝の内周壁に露出される、請求項７に記載の第２のコネクタ。
【請求項９】
前記複数の第２の導電性部材は、３つの第２の側部導電性部材を含み、該３つの第２の側部導電性部材の前記接触端部が、直角二等辺三角形に配置され、前記収容溝の前記内周壁に露出している、請求項７に記載の第２のコネクタ。
【請求項１０】
請求項１〜６のいずれか１項に記載の前記第１のコネクタと、請求項７〜９のいずれか１項に記載の前記第２のコネクタと、を備え、前記第１のコネクタの前記嵌合部が、前記第２のコネクタの前記収容溝に対応して挿入され、前記第１の磁気吸引リング及び前記第２の磁気吸引リングは、前記第１の導電性部材と前記第２の導電性部材との間の電気的接続を維持するように磁気吸引される、電気コネクタアセンブリ。
【発明の詳細な説明】
【技術分野】
【０００１】
本開示は、電気コネクタの分野に関し、特に、電子デバイスの小型化を容易にするための第１のコネクタ、第２のコネクタ、並びに第１のコネクタ及び第２のコネクタを備える電気コネクタアセンブリに関する。
【背景技術】
【０００２】
中国実用新案特許ＣＮ２０３１０３６５２Ｕは、磁気吸引式電力コネクタを開示しており、磁気吸引式電力コネクタは、外側ハウジングと、ピン針と、磁石と、コロイドと、を備え、電力コネクタの内部構造及び外部構造の両方は、円形であるように設計され、また、磁気吸引式構造体を用いると、ヘッダーとしてのコネクタは、円形中心を軸として３６０度回転することによって挿入されて、コネクタに対して無方向性の電荷を実現することができ、雌コネクタ及び雄コネクタは、反対側に定位置に挿入された、安定的に接触している磁石によって吸引され、磁石は組立型構造を取り、摺動防止凹溝は磁石上に更に設計され、コロイドの凸状溝と協働して磁石をコロイドと固定する。電源コネクタのピン針は、正極として使用され、凹状半円弧構造は、ピン針の接触位置に採用される。外側ハウジングは、負極として使用され、４つの弾性タブが外側ハウジング上に設計されて、雄コネクタと接触して導通する。電力コネクタは、自動車充電器と嵌合するためのコネクタヘッダーであり、単一の充電機能を有し、１つのコネクタにおいて多様な機能を達成するという業界のニーズを満たすことができない。更に、外側ハウジング、磁石、及びコロイドの組み立てられた構造及び協働した構造に起因して、小型化することは困難であり、小型電子デバイスには好適ではない。
【発明の概要】
【０００３】
本開示によって解決される技術的問題は、上記の先行技術に存在する欠陥を克服するために、スイッチ機能を有し、電子デバイスの小型化を容易にする、第１のコネクタ、第２のコネクタ、及び電気コネクタアセンブリを提供することである。
【０００４】
本開示の解決策によれば、本開示は、ベース部と、ベース部から上方に突出する嵌合部と、を備える絶縁ベースであって、嵌合部は、受容溝と、受容溝に沿って上下動できるスイッチボタンと、を有する、絶縁ベースと、絶縁ベースに設けられ、スイッチボタンの上下動によってスイッチ機能を達成するスイッチアセンブリと、嵌合部の外周を被覆する第１の磁気吸引リングであって、嵌合部が第１の磁気吸引リングを越えて上方に延在する、第１の磁気吸引リングと、絶縁ベース上に固定された複数の第１の導電性部材であって、それぞれの第１の導電性部材は、嵌合端部及びテールを有し、少なくとも１つの第１の導電性部材の嵌合端部は、嵌合部の外周面上に露出し、テールは、ベース部から下方に延在する、第１の導電性部材と、を備える第１のコネクタを提供する。
【０００５】
本開示の別の解決策によれば、本開示は、ベースと、ベースから上方に突出する突出部とを備える絶縁体であって、突出部の上面に収容溝が凹設されている、絶縁体と、突出部の外周を被覆する第２の磁気吸引リングと、絶縁体に固定された複数の第２の導電性部材であって、それぞれの第２の導電性部材は、接触端部及び先端部を備え、接触端部は収容溝内に露出し、先端部はベースから下方に突出する、第２の導電性部材と、絶縁体及び第２の磁気吸引リングの外周を被覆するカバーと、を備える、第２のコネクタを更に提供する。
【０００６】
本開示の更に別の解決策によれば、本開示は、上記の第１のコネクタと上記の第２のコネクタとを備える電気コネクタアセンブリを更に提供し、第１のコネクタの嵌合部が、第２のコネクタの収容溝内に対応して挿入され、第１の磁気吸引リング及び第２の磁気吸引リングは、第１の導電性部材と第２の導電性部材との間の電気的接続を維持するように磁気吸引される。
【０００７】
先行技術と比較して、本開示は、少なくとも、本開示の第１のコネクタが、絶縁ベースにスイッチアセンブリを取り付け、同時に第１の導電性部材を備え、したがって、スイッチ機能及び充電機能は、第１のコネクタ上に同時に統合されるという利点を有する。２つの機能は、同時に１つのコネクタに統合され、小型電子デバイスに適用されるとき、このコネクタは、実際の適用状況に従ってスイッチコネクタ又は充電コネクタとして使用することができる。これにより１つのコネクタを省き、小型電子デバイスの適用空間及びコストを節約でき、電子デバイスの小型化を容易にする。第１のコネクタにおいて、少なくとも１つの第１の導電性部材の嵌合端部は、嵌合部の外周面に露出して設けられ、第１のコネクタと第２の充電コネクタとの間の３６０度での嵌合及び充電の能力の実現を容易にし、使用に便利である。第１のコネクタが充電コネクタとして使用されるとき、第１のコネクタ及び第２のコネクタは、磁気吸引によって信頼性のある接続を維持し、これによって充電中の接続信頼性が確保される。
【図面の簡単な説明】
【０００８】
【図１】本開示の電気コネクタアセンブリの第１の実施形態の斜視図である。
【図２】別の角度からの図１の斜視図である。
【図３】図１の正面図である。
【図４】図３のＡ−Ａ線に沿った断面図である。
【図５】２つの異なる角度からの図１の第１のコネクタの斜視分解図である。
【図６】２つの異なる角度からの図１の第１のコネクタの斜視分解図である。
【図７】２つの異なる角度からの図１の第２のコネクタの斜視分解図である。
【図８】２つの異なる角度からの図１の第２のコネクタの斜視分解図である。
【図９】本開示の電気コネクタアセンブリの第２の実施形態の斜視図である。
【図１０】別の角度からの図９の斜視図である。
【図１１】図９の正面図である。
【図１２】図１１のＢ−Ｂ線に沿った断面図である。
【図１３】２つの異なる角度からの図９の第１のコネクタの斜視分解図である。
【図１４】２つの異なる角度からの図９の第１のコネクタの斜視分解図である。別の角度からの更に分解した、図１３の斜視図である。
【図１５】２つの異なる角度からの図９の第２のコネクタの斜視分解図である。
【図１６】２つの異なる角度からの図９の第２のコネクタの斜視分解図である。
【符号の説明】
【０００９】
参照番号は、以下のように表される。
１００／１００ａ電気コネクタアセンブリ
１／１ａ第１のコネクタ１１／１１ａ絶縁ベース
１１１／１１１ａベース部
１１１１／１１１１ａ下部受容溝
１１１２案内溝
１１２／１１２ａ嵌合部
１１２１／１１２１ａ上部受容溝
１１３／１１３ａスイッチボタン
１１３１／１１３１ａ陥凹溝
１１３２ａ協働部
１２／１２ａ第１の導電性部材
１２１第１の中央導電性部材
１２１１嵌合端部
１２１２ブリッジ部材
１２１２２テール
１２１３接続端部
１２１５突出部
１２２第１の側部導電性部材
１２２１嵌合端部
１２２２テール
１２３ａ第３の側部導電性部材
１２３１ａ嵌合端部
１２３２ａテール
１３／１３ａ第１の磁気吸引リング
１４／１４ａスイッチアセンブリ
１４１／１４１ａベース本体
１４１１フランジ
１４１２／１４１２ａ貫通溝
１４２／１４２ａスイッチ部材
１４２１スイッチ端子
１４３／１４３ａ電気接点部品
１４４／１４４ａプッシュロッド
１４５／１４５ａバネ
２／２ａ第２のコネクタ
２１／２１ａ絶縁体
２１１／２１１ａ突出部
２１２／２１２ａベース
２１３／２１３ａ収容溝
２２／２２ａ第２の導電性部材
２２１第２の中央導電性部材
２２１１接触端部
２２１２先端部
２２１３スリーブ
２２１４バネ
２２２／２２２ａ第２の側部導電性部材
２２２１／２２２１ａ接触端部
２２２２／２２２２ａ先端部
２３／２３ａ第２の磁気吸引リング
２４／２４ａカバー
２４１周壁
２４２端壁
【発明を実施するための形態】
【００１０】
本開示は、様々な形式の実施形態にも適用可能であるが、図面に示され、本明細書中で詳細に説明されている実施形態は、本開示が、本開示の原理の例証であるとみなされるべきことを理解するための単なる特定の実施形態であり、本開示を、例示された実施形態に限定することを意図していない。
【００１１】
このように、ある特徴に対する言及は、本開示の１つの実施形態のある特徴を説明することを意図されており、本開示の全ての実施形態が、説明された特徴を有しなければならないことを意味していない。更に、記載はいくつかの特徴を例示していることに留意するべきである。特定の特徴を組み合わせて潜在的なシステム設計が例示され得るが、それらの特徴は、明示的に記載されていない他の組み合わせにおいても使用することができる。したがって、記載されている組み合わせは、特に指示がない限り、限定的であることを意図しない。
【００１２】
図面に例示された実施形態では、本開示の様々な構成要素の構造や移動を説明するために使用されている上、下、左、右、前、及び後などの方向の表現は、絶対的ではなく、相対的である。これらの表現は、構成要素が、図中に示された位置にあるときに、適切である。しかしながら、構成要素の位置の説明が変化する場合、これらの表示はそれに応じて変更されるべきである。
【００１３】
以下、本開示の好ましい実施形態を、本開示の図面と組み合わせて更に詳細に説明する。
【００１４】
第１の実施形態
図１〜図４を参照すると、本実施形態の電気コネクタアセンブリ１００は、第１のコネクタ１と、第１のコネクタと嵌合する第２のコネクタ２と、を備える。第１のコネクタ１は、好ましくは、Ｂｌｕｅｔｏｏｔｈヘッドセットなどの小型電子デバイスに特に好適なデバイス端部に装着される。第２のコネクタ２は、好ましくはケーブル端部に取り付けられ、充電器で使用される。使用時には、第１のコネクタ１と第２のコネクタ２とが互いに協働して嵌合され、第２のコネクタ２は外部電源の電力を第１のコネクタ１に伝達し、それによって第１のコネクタ１を装着した電子デバイスを充電する。
【００１５】
簡便な説明のために、互いに嵌合された第１のコネクタ１及び第２のコネクタ２の端部の方向は、「上方」と定義され、上端から離れる方向は「下方」である。
【００１６】
図４〜図６を参照すると、第１のコネクタ１は、絶縁ベース１１と、絶縁ベース１１に固定された２つの第１の導電性部材１２と、絶縁ベース１１を被覆する第１の磁気吸引リング１３と、絶縁ベース１１内に固定されたスイッチアセンブリ１４と、を備える。
【００１７】
絶縁ベース１１は、ベース部１１１と、ベース部１１１から上方に突出する嵌合部１１２と、上下動できるスイッチボタン１１３と、を備える。
【００１８】
ベース部１１１と嵌合部１１２とは、一体形成されていることが好ましく、絶縁性プラスチックを射出成形することによって一体構造となる。ベース部１１１及び嵌合部１１２の両方は、円筒形であり、同軸状である。ベース部１１１の半径は、嵌合部１１２の半径よりも大きく、この半径は、実質的に階段状構造として構成された絶縁ベース１１の輪郭を形成する。
【００１９】
嵌合部１１２の上面は、下方に陥凹して、上部受容溝１１２１を形成する。ベース部１１１の下面もまた、陥凹して、下部受容溝１１１１を形成する。上部受容溝１１２１は、比較的大きな直径を有し、下部受容溝１１１１は比較的小さい直径を有し、上部受容溝１１２１及び下部受容溝１１１１は上下方向に連通し、段差面は、上部受容溝１１２１と下部受容溝１１１１との間の境界に形成される。ベース部１１１の下面には、好ましくは更に案内溝１１１２が設けられている。案内溝１１１２は、下部受容溝１１１１に隣接して設けられ、案内溝１１１２と下方受容溝１１１１とは互いに連通する。案内溝１１１２の深さは、下部受容溝１１１１の深さよりも大きい。
【００２０】
スイッチボタン１１３は、嵌合部１１２の上部受容溝１１２１内に取り付けられ、上部受容溝１１２１に沿って上下動できる。スイッチボタン１１３の外周面及び上部受容溝１１２１の内壁は、それらの間に隙間嵌めを有し、その結果、スイッチボタン１１３は上下動できる。スイッチボタン１１３は、好ましくは、上部受容溝１１２１から外に延在する。スイッチボタン１１３の下端には陥凹溝１１３１が設けられている。
【００２１】
更に図４〜図６を参照すると、スイッチアセンブリ１４は、絶縁ベース１１の上部受容溝１１２１及び下部受容溝１１１１内に取り付けられる。スイッチアセンブリ１４は、ベース本体１４１と、ベース本体１４１内に固定されたスイッチ部材１４２と、スイッチ部材１４２のオンオフ状態を制御するために使用される電気接点部品１４３と、電気接点部品１４３と固定接続されたプッシュロッド１４４と、プッシュロッド１４４を被覆するバネ１４５と、を備える。
【００２２】
ベース本体１４１は、絶縁材料で作製され、内部に上下方向に貫通する階段状の貫通溝１４１２が設けられている。スイッチ部材１４２、電気接点部品１４３及びプッシュロッド１４４が、貫通溝１４１２内に下方から上方に順次取り付けられている。スイッチ部材１４２は、貫通溝１４１２内に固定され、スイッチ部材１４２のスイッチ端子１４２１は、回路基板に接続するために、ベース本体１４１から下方に延在する。電気接点部品１４３及びプッシュロッド１４４は、上下動でき、貫通溝１４１２に設けられている。
【００２３】
ベース本体１４１の中央部分の外周には、絶縁ベース１１内にベース本体１４１が取り付けられたときに外向きに突出するフランジ１４１１が設けられており、フランジ１４１１は、上部受容溝１１２１と下部受容溝１１１との間の境界で段差面に当接し、それにより、絶縁ベース１１内のベース本体１４１の取り付け位置の正確な位置決めを容易にする。ベース本体１４１の下面は、ベース部分１１１の下面と概ね面一である。ベース本体１４１の上端は、スイッチボタン１１３の陥凹溝１１３１内に延在する。プッシュロッド１４４の上端は、ベース本体１４１を越えて上方に延在し、スイッチボタン１１３と固定接続されている。
【００２４】
スイッチボタン１１３が押されると、スイッチボタン１１３は、上部受容溝１１２１に沿って下方に移動し、プッシュロッド１４４及び電気接点部品１４３をスイッチ部材１４２に向かって押し、プッシュロッド１４４及び電気接点部品１４３が押されて定位置になると、電気接点部品１４３はスイッチ部材１４２に接触し、それによってスイッチ部材１４２のオン状態又はオフ状態を変更する（すなわち、スイッチング機能を達成する）ことができる。また、バネ１４５の反発により、スイッチボタン１１３は、スイッチボタン１１３の元の位置に上向きに戻り、次のプッシュ操作を受け入れる。
【００２５】
図４に示すように、第１の磁気吸引リング１３は円形であり、嵌合部１１２の外周を固定的に被覆し、ベース部１１１の上面に接触する。第１の磁気吸引リング１３の高さは、嵌合部１１２の高さよりも小さく、したがって、嵌合部１１２の上端部が第１の磁気吸引リング１３を越えて延在するようにさせる。
【００２６】
第１の磁気吸引リング１３は、フェライト磁石又はネオジム鉄ボロン磁石などの磁石であってもよい。第１の磁気吸引リング１３はまた、強磁性材料（例えば、軟鉄、シリコン鋼、ニッケル鉄合金など）で作製された金属リングであってもよい。第１の磁気吸引リング１３は、好ましくは、強磁性材料で作製された金属リングであり、磁気的ではないか、又は磁気特性が弱く、結果として、第１のコネクタ１が電子デバイス内に取り付けられると、第１の磁気吸引リング１３は、電子デバイスの磁気要素と干渉せず、電子デバイスの性能が保証される（guaranted ）。
【００２７】
図４〜図６を共に参照すると、２つの第１の導電性部材１２は、それぞれ、第１の中央導電性部材１２１及び第１の側部導電性部材１２２である。
【００２８】
第１の中央導電性部材１２１は、嵌合端部１２１１と、嵌合端部１２１１に接続された接続端部１２１３と、接続端部１２１３に摺動可能に接触するブリッジ部材１２１２と、を備える。
【００２９】
ブリッジ部材１２１２は、長尺ストリップ形状であり、インサート成形プロセス又は組み立て方法によって絶縁ベース１１の案内溝１１１２に挿入され、ベース部１１１及び嵌合部１１２と係合して固定されてもよい。ブリッジ部材１２１２のテール１２１２２は、回路基板（図示せず）と電気的に接続するために、ベース部１１１から下方に更に延在する。
【００３０】
嵌合端部１２１１は円形部品であり、スイッチボタン１１３に埋め込まれ、第２のコネクタ２と電気的に接続するためにスイッチボタン１１３の上面に露出される。嵌合端部１２１１の上面は、スイッチボタン１１３の上面と面一である。嵌合端部１２１１は、より大きな接触面積を有し、電気的接続の信頼性を促進する。
【００３１】
接続端部１２１３は、スイッチボタン１１３に部分的に埋め込まれた長尺のストリップ形状である。接続端部１２１３は、嵌合端部１２１１の側縁部から下方に延び、スイッチボタン１１３を越えて延在する。接続端部１２１３の下端は、外側に突出する突出部１２１５を有し、突出部１２１５は、アーチ形状であり、弾性を有し、ブリッジ部材１２１２に弾性的に当接する。
【００３２】
第１の中央導電性部材１２１の嵌合端部１２１１及び接続端部１２１３は、インサート成形によってスイッチボタン１１３と統合され得る。スイッチボタン１１３が上下動すると、接続端部１２１３の突出部１２１５及びブリッジ部材１２１２は、電気的接続を維持するために、摺動可能に上下に接触することができる。
【００３３】
第１の側部導電性部材１２２は、円筒形である嵌合端部１２２１と、長尺ストリップ形状のテール１２２２とを備える。嵌合端部１２２１は、嵌合部１１２を包囲し、嵌合部１１２上に設けられ、第２のコネクタ２と電気的に接続するために嵌合部１１２の外周面上に露出される。テール１２２２は、嵌合端部１２２１から下方に延在するはんだ付け脚部であり、嵌合端部１２２１の下端に接続され、嵌合部１１２の側縁部に沿って下方に延在し、テール１２２２は、ベース部１１１を下方に通過し、回路基板と接続するためにベース部１１１の下面を越えて延在する。
【００３４】
第１の側部導電性部材１２２はまた、インサート成形プロセス又は組み立て方法によって、ベース部１１１及び嵌合部１１２と係合することもできる。
【００３５】
第１コネクタ１の組み立てプロセスは、一般的には以下の通りである。インサート成形プロセスによって、嵌合端部１２１１及び第１の中央導電性部材１２１の接続端部１２１３を有するスイッチボタン１１３を形成する工程と、インサート成形プロセスによって、ブリッジ部材１２１２及び第１の側部導電性部材１２２を有するベース部１１１及び嵌合部１１２を形成する工程と、スイッチボタン１１３及び組み立てられたスイッチアセンブリ１４を接続及び固定する工程と、スイッチボタン１１３及び組み立てられたスイッチアセンブリ１４を、ベース部１１１及び嵌合部１１２に上下から取り付ける工程と、上部受容溝１１２１内に受容されたスイッチボタン１１３を作製する工程と、第１の中央導電性部材１２１の接続端部１２１３を案内溝１１１２内に延在させ、ブリッジ部材１２１２と摺動可能に接触させる工程。
【００３６】
図４、図７及び図８を参照すると、第２のコネクタ２は、絶縁体２１と、絶縁体２１に固定された２つの第２の導電性部材２２と、絶縁体２１の外周を被覆する第２の磁気吸引リング２３と、第２の磁気吸引リング２３の外周を更に被覆するカバー２４と、を備える。
【００３７】
絶縁体２１は、インサート成形工程によって、２つの第２の導電性部材２２と共に形成されることが好ましい。絶縁体２１は、ベース２１２と、ベース２１２から上方へ突出する突出部２１１と、を備える。突出部２１１及びベース２１２は、両方とも円筒状であり、突出部２１１の半径は、絶縁体２１が段差構造を形成するように、ベース２１２の半径よりも小さい。突出部２１１の上面は、陥凹して収容溝２１３を形成し、収容溝２１３は、円形であり、収容溝２１３の軸は、突出部２１１の軸と一致している。
【００３８】
第２の磁気吸引リング２３は円形であり、突出部分２１１の外周を固定的に被覆し、ベース２１２の上面と接触し、第２の磁気吸引リング２３の外周面は、ベース２１２の外周面と面一である。第２の磁気吸引リング２３の高さは、突出部２１１の高さよりもわずかに小さく、このことによって、突出部分２１１が、第２の磁気吸引リング２３を越えてわずかに延在するようにする。
【００３９】
第２の磁気吸引リング２３は、フェライト磁石又はネオジム鉄ボロン磁石などの磁石であってもよい。第２の磁気吸引リング２３はまた、強磁性材料（例えば、軟鉄、シリコン鋼、ニッケル鉄合金など）で作製された金属リングであってもよい。第２の磁気吸引リング２３は、好ましくは磁石である。
【００４０】
カバー２４は、円筒形の周壁２４１と、円形であり、周壁２４１の上端に接続された端壁２４２と、を備える。周壁２４１は、第２の磁気吸引リング２３の外周を被覆し、第２の磁気吸引リング２３の下面を越えて下向きに延在して、ベース２１２の外周を更に被覆する。端壁２４２は、第２の磁気吸引リング２３の上面を覆っており、端壁２４２の上面は、突出部２１１の上面と面一である。
【００４１】
２つの第２の導電性部材２２は、それぞれ、第２の中央導電性部材２２１及び第２の側部導電性部材２２２である。
【００４２】
図４を参照すると、第２の中央導電性部材２２１は、絶縁体２１の中心に挿入され、絶縁体２１の中心に固定されている。第２の中央導電性部材２２１は、好ましくはポゴピン（スプリングプローブ）であり、先端部２２１２と、先端部２２１２上に固定されたスリーブ２２１３と、スリーブ２２１３内に取り付けられたバネ２２１４と、接触端部２２１１と、を備え、接触端部２２１１は、バネ２２１４によって先端部２２１２に対して弾性的に上下動できる。ベース２１２に固定された先端部２２１２は、またベース２１２の表面から下方に突出する。スリーブ２２１３は絶縁体２１に挿入される。接触端部２２１１は、スリーブ２２１３から上方に延在して、収容溝２１３の底部から上方に突出し、収容溝２１３内に露出される。
【００４３】
第２の側部導電性部材２２２は、実質的にストリップ形状であり、絶縁体２１の側縁部に固定されている。第２の側部導電性部材２２２は、収容溝２１３の内周壁に露出した接触端部２２２１を備え、先端部２２２２は、ベース２１２を越えて下方に延在する。接触端部２２２１は弾性を有し、先端部２２２２に対して絶縁体２１の軸に向かって突出して、接触端部２２２１が収容溝２１３の内周壁からわずかに突出するようにする。
【００４４】
図１〜図４を組み合わせると、第１のコネクタ１と第２のコネクタ２とが互いに嵌合している場合には、第１のコネクタ１を充電コネクタとして用いることが好ましい。第１のコネクタ１の嵌合部１１２は、第２のコネクタ２の収容溝２１３に挿入され、第１の側部導電性部材１２２の嵌合端部１２２１は、第２の側部導電性部材２２２の接触端部２２２１と電気的に接続され、第１の中央導電性部材１２１の嵌合端部１２１１は、第２の中央導電性部材２２１の接触端部２２１１と電気的に接続され、その結果、第２のコネクタ２は、第１のコネクタ１に電力を供給することができ、それにより、次に第１のコネクタ１を備えた電子デバイスを充電する。第１の側部導電性部材１２２の嵌合端部１２２１は円形であり、嵌合部１１２の外周に露出しているので、嵌合部１１２は、収容溝２１３内の嵌合部１１２の回転にかかわらず、嵌合端部１２２１と接触端部２２２１との間の電気的接続を維持することができ、それによって、３６０度の嵌合及び充電の機能を達成することができる。第１のコネクタ１の第１の磁気吸引リング１３及び第２のコネクタ２の第２の磁気吸引リング２３は、磁気吸引されて、第１の導電性部材１２と第２の導電性部材２２との間の電気的接続を維持する。
【００４５】
第１のコネクタ１が第２のコネクタ２に接続されていない場合、第１のコネクタ１は、スイッチコネクタとして使用され、スイッチボタン１１３は、スイッチ部材１４２のオン状態又はオフ状態を制御し、スイッチ機能を実現するために、ユーザーの押圧を受け入れることができる。
【００４６】
第２の実施形態
図９〜図１２を参照すると、第１の実施形態のように、本実施形態の電気コネクタアセンブリ１００ａはまた、互いに一致する第１のコネクタ１ａ及び第２のコネクタ２ａを備える。第１のコネクタ１ａは、スイッチ機能及び充電機能を統合する。
【００４７】
図１２〜図１４を参照すると、第１のコネクタ１ａの構造は、第１の実施形態の第１のコネクタ１の構造と実質的に同じであり、第１のコネクタ１ａはまた、絶縁ベース１１ａと、絶縁性ベース１１ａに固定された複数の第１の導電性部材１２ａと、絶縁性ベース１１ａを被覆する第１の磁気吸引リング１３ａと、絶縁ベース１１ａ内に固定されたスイッチアセンブリ１４ａと、を備える。
【００４８】
第１の実施形態と同様に、絶縁ベース１１ａは、ベース部１１１ａと、部分ベース１１１ａから上方に突出する嵌合セクション１１２ａと、上下動できるスイッチボタン１１３ａと、を備える。スイッチボタン１１３ａは、嵌合部１１２ａの上部受容溝１１２１ａに沿って上下動できる。スイッチアセンブリ１４ａは、ベース本体１４１ａと、ベース本体１４１ａ内に固定されたスイッチ部材１４２ａと、スイッチ部材１４２ａのオンオフ状態を制御するために使用される電気接点部品１４３ａと、電気接点部品１４３ａと固定接続されたプッシュロッド１４４ａと、プッシュロッド１４４ａを被覆するバネ１４５と、を備える。スイッチアセンブリ１４ａは、上部受容溝１１２１ａ内に取り付けられ、絶縁ベース１１ａの下部受容溝１１１１ａは、スイッチボタン１１３の上下動によってスイッチ機能を実現する。第１の磁気吸引リング１３ａは、嵌合部１１２ａを被覆する。
【００４９】
第１の実施形態との相違は、本実施形態では、第１の導電性部材１２ａの数が３個であり、第１の導電性部材１２ａが全て第３の側部導電性部材１２３ａであり、第１の中央導電性部材１２１を含まないことである。
【００５０】
第３の側部導電性部材１２３ａは、円弧形状である嵌合端部１２３１ａと、長尺ストリップ形状のテール１２３２ａと、を備える。図１０を参照すると、３つの第３の側部導電性部材１２３は、嵌合部１１２ａの外周に沿って均等に分配され、３つの第３の側部導電性部材１２３ａの嵌合端部１２３１ａは全て、嵌合部１１２ａの外周に露出し、嵌合部１１２ａの外周面と面一であり、各嵌合端部１２３１ａは、嵌合部１１２ａの弧表面の約１２０度を占める。２つの隣接する第３の側部導電性部材１２３ａの嵌合端部１２３１ａは、それらの間にわずかな間隙を有する。図１２を参照すると、テール１２３２ａは、嵌合端部１２３１ａから、嵌合部１１２ａの側縁部に沿って下方に延在し、ベース部１１１ａを通過し下方に延出する。
【００５１】
第１のコネクタ１ａでは、第１の実施形態のように、スイッチボタン１１３ａ上に中央導電性部材を埋め込む必要がなくなる。図１２及び図１４を参照すると、円筒形の協働部１１３２ａが、スイッチボタン１１３ａの陥凹溝１１３１ａ内に設けられ、協働部１１３２ａは、スイッチアセンブリ１４ａのプッシュロッド１４４ａが協働部１１３２ａ内に延在することを可能にし、同時に、協働部１１３２ａは、スイッチアセンブリ１４ａのベース本体１４１ａの貫通溝１４１２ａ内に延在し、スイッチボタン１１３ａの上下動をより安定させる。
【００５２】
図１２、図１５及び図１６を参照すると、本実施形態において、第２のコネクタ２ａの構造は、第１の実施形態における第２のコネクタ２の構造と実質的に同じであり、第２のコネクタ２ａは、絶縁体２１ａと、絶縁体２１ａに固定された複数の導電性部材２２ａと、絶縁体２１ａの外周を被覆する第２の磁気吸引リング２３ａと、第２の磁気吸引リング２３ａの外周を更に被覆するカバー２４ａと、を備える。絶縁体２１ａの上面は、下方に陥凹して、収容溝２１３ａを形成する。
【００５３】
第１の実施形態との相違は、本実施形態では、第２の導電性部材１２ａの数が３個であり、第２の導電性部材１２ａが全て第２の側部導電性部材１２３ａであり、第２の中央導電性部材２２１を含まないことである。
【００５４】
第２の側部導電性部材２２２ａの構造は、第１の実施形態における第２の側部導電性部材２２２の構造と実質的に同じである。図１０及び図１２を参照すると、３つの第２の側部導電性部材２２２ａは、絶縁体２１ａの側縁部に固定され、直角二等辺三角形に配置されている。３つの第２の側部導電性部材２２２ａの接触端部２２２１ａは、絶縁体２１ａの収容溝２１３ａの内壁にそれぞれ露出しており、３つの第２の側部導電性部材２２２ａの先端部２２２２ａは、絶縁体２１ａの突出部２１１ａの側縁部に沿って下方に延在し、絶縁体２１ａのベース２１２ａを越えて延在する。収納溝２１３ａの内壁に沿った周方向において、三角形の腰部側に対応する２つの接触端部２２２１ａ間の円周角は９０度であり、三角形の底縁に対応する２つの接触端部２２２１ａ間の円周角は１８０度である。各接触端部２２２１ａの幅は、第１のコネクタ１ａの２つの隣接する第３の側部導電性部材１２３ａの嵌合端部１２３１ａ間の間隔よりも小さい。
【００５５】
本実施形態の第１のコネクタ１ａ及び第２のコネクタ２ａが互いに嵌合すると、第１のコネクタ１ａの嵌合部１１２ａは、第２のコネクタ２ａの収容溝２１３ａに挿入される。第１のコネクタ１ａは、第１のコネクタ１ａが収容溝２１３ａ内に任意の角度で位置決めされているかにかかわらず、３つの第３の側部導電性部材１２３ａのうちの２つの嵌合端部１２３１ａと第２のコネクタ２ａの３つの第２の側部導電性部材２２２ａのうちの２つの接触端部２２２１ａとの間の対応する接触を確実にすることができ、その結果、回路がチップを制御し、３６０度の嵌合及び充電の機能が達成されることによって、充電を行うことができる。第１のコネクタ１が第２のコネクタ２に接続されていない場合、第１コネクタ１をまた、スイッチコネクタとして用いてもよい。
【００５６】
上述の実施形態によれば、本開示では、第１のコネクタ１／１ａ及び第２のコネクタ２／２ａの両方は、３６０度の嵌合及び充電の機能を達成することができ、ブラインド嵌合機能を有し、これはユーザーが使用するのに便利である。第１のコネクタ１／１ａは、絶縁ベース１１／１１ａ内にスイッチアセンブリ１４／１４ａを取り付け、同時に第１の導電性部材１２／１２ａを備えているため、第１のコネクタ１／１ａには、スイッチ機能及び充電機能が同時に統合される。２つの機能は、同時に１つのコネクタに統合され、小型電子デバイスに適用されるとき、このコネクタは、実際の適用状況に従ってスイッチコネクタ又は充電コネクタとして使用することができる。これにより１つのコネクタを省き、小型電子デバイスの適用空間及びコストを節約でき、電子デバイスの小型化を容易にする。第１のコネクタが充電コネクタとして使用されるとき、第１のコネクタ及び第２のコネクタは、磁気吸引によって信頼性のある接続を維持する。
【００５７】
上述の内容は、本開示の単なる好ましい実施形態であり、本開示の実施解決策を限定することはできず、当業者は、本開示の主要な概念及び趣旨に基づいて、対応する変形又は修正を都合よく実行することができ、したがって、本開示の保護の範囲は、「特許請求の範囲」の条件によって決定されるであろう。
【図１】
2020087917.tif 000003
【図２】
2020087917.tif 000004
【図３】
2020087917.tif 000005
【図４】
2020087917.tif 000006
【図５】
2020087917.tif 000007
【図６】
2020087917.tif 000008
【図７】
2020087917.tif 000009
【図８】
2020087917.tif 000010
【図９】
2020087917.tif 000011
【図１０】
2020087917.tif 000012
【図１１】
2020087917.tif 000013
【図１２】
2020087917.tif 000014
【図１３】
2020087917.tif 000015
【図１４】
2020087917.tif 000016
【図１５】
2020087917.tif 000017
【図１６】
2020087917.tif 000018